(57)【特許請求の範囲】
【請求項１】
胴縁側及びパネル側の係止金具をその対向面間において相互にスナップイン係止することによってパネル間に目地を形成するようにパネルを胴縁に固定するパネル固定装置であって，上記パネル側係止金具を目地側に，胴縁側係止金具を非目地側に配置し上記スナップイン係止の位置をこれら係止金具の正背面方向中間位置とし，上記パネル側係止金具における上記係止位置より非自由端側に透孔を配置して該透孔を介して目地から上記胴縁側係止金具の自由端を非目地側に押圧することによって上記スナップイン係止のパネル固定を解除自在としてなることを特徴とする着脱自在のスナップインパネル固定装置。
【請求項２】
上記パネル側係止金具と胴縁又は胴縁側係止金具との間に上記スナップイン係止によって対接しパネル側係止金具の背面側への移動を阻止する移動阻止手段を備えてなることを特徴請求項１に記載の着脱自在のスナップインパネル固定装置。
【請求項３】
上記胴縁側係止金具を胴縁長手方向に断続的に配置したピース金具によるものとし且つパネル側係止金具をパネルの背面外周端部に連続的に配置した長尺金具によるものとしてなることを特徴とする請求項１又は２に記載の着脱自在のスナップインパネル固定装置。
【請求項４】
上記胴縁側係止金具とパネル背面又はパネル側係止金具との間にこれらの公差によるスナップイン係止の遊びを吸収する遊び吸収手段を備えてなることを特徴とする請求項１，２又は３に記載の着脱自在のスナップインパネル固定装置。
【請求項５】
対向面間において相互にスナップイン係止することによってパネル間に目地を形成するようにパネルを胴縁に固定する胴縁側及びパネル側の係止金具であって，パネル側を目地側に，胴縁側を非目地側に配置し上記スナップイン係止の位置を正背面方向中間位置とし，上記パネル側の上記係止位置より非自由端側に透孔を配置して該透孔を介して目地から上記胴縁側の自由端を非目地側に押圧することによって上記スナップイン係止のパネル固定を解除自在としてなることを特徴とする着脱自在のスナップインパネル固定装置の係止金具。
【発明の詳細な説明】
【０００１】
【発明の属する技術分野】
本発明は，例えば内装，外装のためにパネルを建築物の躯体に設置するに用いる着脱自在のスナップインパネル固定装置及びその係止金具に関する。
【０００２】
【従来の技術及び発明が解決しようとする課題】
この種のパネル固定は，胴縁に対してパネルを直接にネジ止めしたり，例えばパネル設置用金具（ファスナー）を介してパネルをネジ止めするように，一般にネジ（ボルトを含む）を使用して行うものとされており，この場合ネジを操作して一度設置したパネルを取り外すことが可能であり，躯体との間の配線の点検等の各種メンテナンスに対応し得るし，設置工事で設置位置を間違えたパネルの張替えも可能となるが，多数箇所における締着作業が必要となり，パネル設置工事が煩雑化する傾向がある上，パネルの正面や側面のフランジにネジ（ネジの頭）が露出することを避け難く，特に，例えばロビー，ホール等の壁面にあっては，設置パネルの外観が損なわれ易いという傾向を招き，その改善が求められている。
【０００３】
本発明はかかる事情に鑑みてなされたもので，その解決課題とするところは，可及的簡単な構造によってパネルの固定を簡易且つ確実になし得るようにすることによってパネル設置作業の高度な作業性を確保するとともに設置パネルの取り外しを簡易且つ確実になし得るようにすることによってメンテナンスや誤設置に対応することができ，またパネル固定のネジ等の露出が一切なく設置パネルの外観を極めて良好に確保することができるようにした着脱自在のスナップインパネル固定装置を提供するにあり，またこれに用いる係止金具を提供するにある。
【０００４】
【課題を解決するための手段】
上記課題に沿って本発明は，胴縁に対するパネルの固定を，胴縁に配置した胴縁側の係止金具とパネルに配置したパネル側の係止金具を使用し，これらを正背面方向中間位置（断面長手方向中間位置といってもよい）においてスナップイン係止することによってパネル間に目地を介してパネルを胴縁に固定し得るようにし，これによってパネルの簡易且つ確実な設置を可能とするとともに該スナップイン係止したパネルの係止金具を，これら胴縁側及びパネル側係止金具及びその係止の位置関係と形態に着目し，上記目地側に位置するパネル側係止金具に透孔を配置し，該透孔から工具を挿入して係止金具の係止状態で非目地側に位置する胴縁側係止金具の自由端を押圧し，一般にアルミ，鋼，硬質樹脂等によって構成することにより素材の弾発性（スプリング性）を備えている胴縁側係止金具を，その素材の弾発性やその発揮を促進する形状乃至構造による弾発性を活用して弾発的に拡開することによってパネル側係止金具との係止を解除し得るようにし，パネルの取り外しを簡易且つ確実に行うようにしたものであって，即ち請求項１に記載の発明を，胴縁側及びパネル側の係止金具をその対向面間において相互にスナップイン係止することによってパネル間に目地を形成するようにパネルを胴縁に固定するパネル固定装置であって，上記パネル側係止金具を目地側に，胴縁側係止金具を非目地側に配置し上記スナップイン係止の位置をこれら係止金具の正背面方向中間位置とし，上記パネル側係止金具における上記係止位置より非自由端側に透孔を配置して該透孔を介して目地から上記胴縁側係止金具の自由端を非目地側に押圧することによって上記スナップイン係止のパネル固定を解除自在としてなることを特徴とする着脱自在のスナップインパネル固定装置としたものである。
【０００５】
請求項２に記載の発明は，上記に加えて，正面からパネルを押圧することによってスナップイン係止と該係止状態の確実な保持とを行ってパネル設置の確実且つ安定した固定をなし得るものとするように，これを，上記パネル側係止金具と胴縁又は胴縁側係止金具との間に上記スナップイン係止によって対接しパネル側係止金具の背面側への移動を阻止する移動阻止手段を備えてなることを特徴請求項１に記載の着脱自在のスナップインパネル固定装置。
【０００６】
請求項３に記載の発明は，同じく上記に加えて，胴縁側係止金具の材料使用量を抑制するとともにパネル側係止金具をパネル端部の補強をなし得るものとすることによって，構造の簡易化とパネル設置の安定性を向上するように，これを，上記胴縁側係止金具を胴縁長手方向に断続的に配置したピース金具によるものとし且つパネル側係止金具をパネルの背面外周端部に連続的に配置した長尺金具によるものとしてなることを特徴とする請求項１又は２に記載の着脱自在のスナップインパネル固定装置としたものである。
【０００７】
請求項４に記載の発明は，同じく上記に加えて，胴縁側係止金具とパネル側係止金具の生産加工の公差に起因するスナップイン係止の遊びによって生じることある設置パネルの揺動可能性を解消してパネル設置の安定性を向上するように，これを，上記胴縁側係止金具とパネル背面又はパネル側係止金具との間にこれらの公差によるスナップイン係止の遊びを吸収する遊び吸収手段を備えてなることを特徴とする請求項１，２又は３に記載の着脱自在のスナップインパネル固定装置としたものである。
【０００８】
請求項５に記載の発明は，上記着脱自在のスナップインパネル固定装置に使用する係止金具を提供するように，これを，対向面間において相互にスナップイン係止することによってパネル間に目地を形成するようにパネルを胴縁に固定する胴縁側及びパネル側の係止金具であって，パネル側を目地側に，胴縁側を非目地側に配置し上記スナップイン係止の位置を正背面方向中間位置とし，上記パネル側の上記係止位置より非自由端側に透孔を配置して該透孔を介して目地から上記胴縁側の自由端を非目地側に押圧することによって上記スナップイン係止のパネル固定を解除自在としてなることを特徴とする着脱自在のスナップインパネル固定装置の係止金具としたものである。
【０００９】
本発明は，これらをそれぞれ発明の要旨として上記課題解決の手段としたものである。
【００１０】
なお本発明において係止金具は上記胴縁又はパネルと別の金具の場合と一体の金具の双方を含む意味に用い，また目地は，少なくともパネル側係止金具の透孔を介して胴縁側係止金具の自由端を押圧可能とするように，目地材を配置することなく，目地部分を開放することによって目地空間を配置した開放目地，目地材の長手方向全部又はスナップイン係止部分に対応した長手方向一部を着脱自在に配置することによってパネル取り外しに際して該目地材の全部又は一部を開放自在とした目地材着脱自在目地の双方を含む意味に用いる。
【００１１】
【発明の実施の形態】
以下図面の例に従って本発明を更に具体的に説明すれば，図１乃至図３においてＡはパネル，Ｂは胴縁であり，パネルＡは，胴縁側及びパネル側の係止金具２０，３０をその対向面間において相互にスナップイン係止することによってパネルＡ間に目地４０を形成するように胴縁に固定してあり，このとき上記パネル側係止金具３０を目地４０側に，胴縁側係止金具２０を非目地側に配置し上記スナップイン係止の位置をこれら係止金具２０，３０の正背面方向中間位置とし，上記パネル側係止金具３０における上記係止位置より非自由端側に透孔３４を配置して該透孔３４を介して目地４０から上記胴縁側係止金具２０の自由端を非目地側に押圧することによって上記スナップイン係止のパネルＡ固定を解除自在としてあり，これによってパネルＡを着脱自在とするようにしてある。
【００１２】
本例にあってパネルＡは，不燃性芯材の表裏に仕上材を積層したサンドイッチ状の複合板，例えば樹脂系芯材と表裏のアルミ仕上材による「アルポリック」（商標名）として知られる複合パネルを使用し，鉄筋コンクリートビル等の建築物，地下鉄駅舎等の地下構築物の壁面，天井等の各種内装材又は外装材としてその内装又は外装を行うものとしてあり，このときパネルＡは該複合パネルを所定の矩形乃至方形に切断し必要に応じて端面の仕上げを行った平板パネルによるものとし又は外周を背面側に折曲して切断面が露出しないようにした折曲縁部付きの平板パネルによるものとしてあり，例えば躯体Ｃに設置した胴縁Ｂに上記胴縁側及びパネル側の係止金具２０．３０を用いて固定するものとしてある。
【００１３】
本例にあって胴縁Ｂは，例えば躯体Ｃに植立したアンカーボルトにＬ字アングル材のブラケット１５を固定設置し該ブラケット１５にボルトナット１６によって締着固定することによって躯体Ｃに設置した，例えばアルミ材による長尺のものとし，常法に従って縦横格子状等に配置し，パネルＡの四辺外周背面を上記係止金具２０，３０によって固定支持するものとしてあり，このとき本例の胴縁Ｂは，基部１１，本例にあって中空とした基部と，該基部１１から背面に突出した上記ブラケット１５に固定する固定片１２と，上記基部１１にその両側に突出するように配置し外方，本例にあっては側方に開口する開口溝１４を形成するコ字状突片１３を備えたものとし，例えばアルミを押出成型することによって一体に成型したアルミ押出材製のものとしてある。
【００１４】
胴縁側及びパネル側の係止金具２０，３０は，上記パネルＡの固定用に，対向面間において相互にスナップイン係止することによってパネルＡ間に目地４０を形成するようにパネルＡを胴縁１０に固定する金具として，パネル側を目地側に，胴縁側を非目地側に配置し上記スナップイン係止の位置を正背面方向中間位置（断面長手方向中間位置といってもよい）とし，上記パネル側の上記係止位置より非自由端側に透孔３４を配置し該透孔３４を介して目地４０から上記胴縁側の自由端を非目地側に押圧することによって上記スナップイン係止のパネルＡ固定を解除自在としたものとしてあり，本例にあって上記胴縁側係止金具２０を胴縁Ｂ長手方向に断続的に配置したピース金具によるものとし且つパネル側係止金具３０をパネルＡの背面外周端部に連続的に配置した長尺金具によるものとする一方，上記パネル側係止金具３０と胴縁Ｂ又は胴縁側係止金具２０との間に上記スナップイン係止によって対接しパネル側係止金具３０の背面側への移動を阻止する移動阻止手段を備えたものとしてあり，本例の該移動阻止手段は，これを，パネル側係止金具３０の，例えば目地側に向けて突設して上記スナップイン係止によって胴縁Ｂの，例えば上記中空の基部１１に対して正面側において引掛け係止自在とした係止突起３６によるものとしてある。
【００１５】
本例の胴縁側及びパネル側の各係止金具２０，３０は，胴縁Ｂと同様に，例えばアルミを押出成型することによって一体に成型したアルミ押出材製のものとし，胴縁側係止金具２０にあってこれを所定長さに切断して，例えば数ｃｍ程度の短尺の上記ピース金具とし，またパネル係止金具３０にあってパネルＡの各辺の長さに応じて切断して上記長尺金具としたものとしてある。
【００１６】
胴縁側係止金具２０は，胴縁Ｂの上記コ字状突片１３による開口溝１４に嵌合する固定片２１と，該固定片２１から正面側に突出し，該固定片２１に対してアルミ押出材の弾性を向上するように，例えば肉厚を薄くすることによって配置した係止突片２２と，該係止突片２２の長手方向中間，即ち突出方向中間にしてその外側，即ち目地４０側に向けて，例えば上面（背面側）の係止面を水平としたＶ字状をなすように一体に突出配置したスナップイン突起をなす係止用突起２３と，同じく係止突片２２の該係止用突起２３位置の近傍正面側に位置に厚肉の平坦面をなすように配置した押圧部２４とを備えた断面略Ｌ字状をなすものとしてあり，上記固定片２１を胴縁Ｂの上記開口溝１４に嵌合し，例えばコ字状突片１３の正面側から該固定片２１をネジ，リベット，接着等，本例にあってはネジ２５止め固定することによって胴縁Ｂに一体的に配置するようにしてあり，このとき該胴縁側係止金具２０は，その係止突片２２が基部１１の側面との間に，本例にあって上記固定片１２の長さに応じた程度の溝幅を備えて正面側に開口した受溝２６を形成するようにしてある。
【００１７】
一方パネル側係止金具３０は，パネルＡの背面に面接固定する固定片３１と，該固定片３１から背面側に突出するように配置した係止突片３２と，該係止突片３２の長手方向中間にしてその内側，即ち非目地側に向けて，例えば下面（正面側）の係止面を水平とした同じくＶ字状にして上記胴縁側係止金具２０の係止用突起２３と対応するように一体に突出配置した同じくスナップイン突起をなす係止用突起３３と，同じく係止突片３２の長手方向中間，即ち突出方向中間の該係止用突起３３位置近傍にしてその外側，即ち目地４０側に胴縁Ｂの基部１１に向けてフィン状に突出した係止用突起３６と，同じく上記係止突片３２における，これらＶ字状及びフィン状の係止用突起３３，３６位置の近傍正面側にして，長手方向中間に透設した工具受け用の透孔３４とを備えた断面略Ｌ字状をなすものとしてあり，上記固定片３１をパネルＡの背面に面接するように，ネジ，リベット，接着等，本例にあってはリベット３５によって固定することによってパネルＡに一体的に配置するようにしてあり，これによって係止突片３２がパネルＡの背面側外周端部に連続して突出するようにしてある。
【００１８】
このように形成した本例の胴縁側係止金具２０とパネル側係止金具３０はその各係止用突起２３，３３をスナップインすることによって相互に係止し，本例にあっては同時にパネル側係止金具３０の係止用突起３６を受溝２６の縁部に係止することによって，パネルＡ間に目地４０を形成してパネルＡを胴縁Ｂに着脱自在に固定するものとしてある。
【００１９】
即ち該パネルＡの胴縁Ｂへの設置は，事前に又は現場において胴縁Ｂの幅方向両側に各パネルＡ毎にその長手方向複数の胴縁側係止金具２０を断続的に配置し，同じく事前に又は現場においてパネルＡの背面外周端部に，幾分の縁部スペースを残すようにパネル側係止金具３０を連続的に配置して，パネル側係止金具３０の上記係止突片３２を胴縁側係止金具２０における上記受溝２６に挿入するようにパネルＡを正面側から背面の胴縁Ｂ側に向けて押圧することにより，パネル側係止金具３０と胴縁側係止金具２０の各係止用突起２３，３３を相互に弾発的に係止することによってスナップイン係止して胴縁Ｂに対して各パネルＡの外周端部を固定するものとしてあり，このとき本例にあってはパネル側係止金具３０における上記目地４０側の係止用突起３６を上記受溝２６の目地４０側の縁部，本例においては受溝２６を画する胴縁Ｂの基部１１下面（正面側）に弾発的に係止するように引掛け係止し，パネル側係止金具３０の背面側への移動を阻止する移動阻止手段をなして，本例にあって上記胴縁側係止金具２０の固定片２１を胴縁Ｂにネジ２５止め固定するネジ頭の逃げスペースを配置したことによって非目地側の係止用突起２３によるスナップイン係止に伴って目地４０側で係止することによってパネル側係止金具３０が背面側に移動する可能性を解消して，スナップイン係止状態を確実に保持するものとしてある。
【００２０】
また胴縁側係止金具２０は胴縁Ｂの基部１１の両側に該基部１１と受溝２６を形成し該受溝２６にパネル側係止金具３０の係止突片３２を挿入するようにしたことによってパネルＡの設置により胴縁Ｂにおける受溝２６の間隔，本例にあっては上記基部１１の見付幅に応じた間隔を置いた配置となる一方，パネルＡの背面外周端部に対する縁部スペースを残したパネル側係止金具３０配置の位置関係により，スナップイン係止を行うことによって上記基部１１に応じた所定幅，本例にあっては１〜２ｃｍ程度の幅の目地４０を各パネルＡを囲むように各隣接するパネルＡ間に形成するようにしてあり，本例の目地４０は，例えばパネルＡ間に目地空間を形成するように目地材を配置することなく長手方向全長を開放することによって開放目地をなすものとしてある。
【００２１】
胴縁側係止金具２０及びパネル側係止金具３０の事前又は現場での配置は，胴縁側係止金具２０の固定片２１を胴縁Ｂのコ字状突片１３による開口溝１４に挿入し，その位置決め後にコ字状突片１３に正面側からネジ２５を螺装してネジ止め固定すればよく，またパネル側係止金具３０の固定片３１をパネルＡの外周端部に沿い又は幾分の間隔を置くようにして外周端部側に該固定片３１から起立した係止突片３２が位置するようにして，該固定片３１をパネルＡの背面から，表面に露出しないように上記ネジ，リベット，接着等によって固定すればよい。
【００２２】
一方パネルＡの胴縁Ｂからの取り外しは，図３に示すように，例えばドライバー，レンチのような一般工具やＬ字状等に折曲形成することによって先端に押圧用の屈曲挿入部を備えるようにした専用工具等を用いて，目地４０，本例にあっては開放目地の目地空間側からパネル側係止金具３０の上記透孔３４に工具を差込んでこれとスナップイン係止している胴縁側係止金具２０の上記押圧部２４を押圧することによって，上記係止突片２２をその弾性によって拡開させ，パネル側係止金具３０の係止用突起３３を胴縁側係止金具２０の係止用突起２３から離して，パネルＡを正面側に引くことによって該パネルＡのスナップイン係止を解除するようにすればよく，このとき本例の目地４０側において上記引掛け係止を行う係止用突起３６も正面側に引かれて，同様にその係止を解除することができる。従って胴縁Ｂに断続的に配置した各胴縁側係止金具２０についてそれぞれスナップイン係止を解除する該押圧部２４の押圧操作を順次行うことによってパネルＡを取り外すことが可能となる。
【００２３】
このとき胴縁側係止金具２０の係止突片２２は，その素材と上記薄肉化による弾性を備えることによって該係止突片２２を拡開しても，これにより塑性変形等の損傷を招くことがなく，定位置に弾発的に復帰することによって，例えば取り外し後に再度同一の胴縁側係止金具２０を用いて上記パネルＡの取付け設置を行うことが可能となる。
【００２４】
図中２８は，本例にあって上記胴縁側係止金具２０とパネルＡ背面又はパネル側係止金具３０との間に配置した，これらの公差によるスナップイン係止の遊びを吸収する遊び吸収手段であり，本例のスナップイン係止の遊び吸収手段２８は，簡単な構成にして確実に遊びを吸収してパネルＡ設置の安定性を高度に確保し得るものとするように，これを，上記胴縁側係止金具２０とパネルＡ背面又はパネル側係止金具３０との間，本例にあっては胴縁側とパネル側の係止金具２０，３０間に弾性部材を介設することによって構成したものとしてあり，該弾性部材の介設による遊び吸収手段２８によって，胴縁Ｂ，胴縁側係止金具２０及びパネル側係止金具３０の生産加工に伴う公差を吸収して，パネルＡが外力を受けて僅かながらも揺動したり，該揺動によって軋み音を発生したりすることなく，パネルＡの固定とその取付け設置をガタツキなく高度に安定したものとするようにしてある。
【００２５】
本例の上記弾性部材は，これをクッション材によるものとし，本例にあって該クッション材は，気密材等として用いられる中空チューブ材のガスケットを胴縁側係止金具２０に設置し，パネルＡに固定したパネル側係止金具３０の固定片３１に押し付けるように配置することによって該パネル側係止金具３０を弾発的に押圧するようにしてあり，本例にあっては胴縁側係止金具２０における上記係止突片２２の先端に正面側に開口した断面Ｃ字状の嵌合溝２７を一体に設置し，該嵌合溝２７にガスケットの基部を嵌合固定することによって介設し，上記遊び吸収手段２８を形成するものとしてある。
【００２６】
図４は見切り部分の納まりを示すもので，該見切り納まりにおいては，胴縁Ｂ，胴縁側係止金具２０及びパネル側係止金具３０を共通に用いる一方，パネルＡを折曲して見切り用として，見切り側の端部を閉塞するようにすればよく，このときパネルＡの折曲は背面にＶ字カットを施し，該カット面を突合せ，必要に応じて固定する留めの折曲を行って，該折曲した端部の奥行方向先端部分を別途躯体Ｃに設置したブラケット１５にネジ止めするようにすればよい。図中５０は該見切り部分から側方に向けて設置した間仕切パネルである。
【００２７】
図５は入隅部分の納まり，図６は出隅収まりをそれぞれ示すもので，該入隅納まり及び出隅納まりにおいてはパネルＡ，胴縁側係止金具２０及びパネル側係止金具３０を共通に用いる一方，胴縁Ｂをそれぞれ入隅用，出隅用のものとして使用してパネルＡの取り付け設置を行うものとしてある。
【００２８】
即ち胴縁Ｂは，いずれも上記と同様に躯体Ｃに固定設置したブラケット１５に固定する固定片１２と該固定片１２から一側に突出した折曲片１７とを備えて断面Ｌ字状を呈するものとしてあり，入隅用において上記固定片１２長手方向中間にして非折曲片側の一側に上記と同様のコ字状突片１３を配置して上記開口溝１４を形成したものとし，出隅用においては該固定片１２のコ字状突片１３による開口溝１４とともに上記折曲片１７にコ字状突片乃至単一の突片１３を配置して該コ字状突片又は単一の突片１３と固定片１７とによる上記開口溝１４と直交する開口溝１４を形成したものとしてある。
【００２９】
入隅納まりのパネルＡは，入隅用の胴縁Ｂを直交するように躯体Ｃ入隅部に固定設置したブラケット１５にそれぞれ固定片１２を固定することによって開口溝１４を内側の非目地側に向けるように上下方向に２本を平行に配置し，各胴縁側係止金具２０の固定片１２をそれぞれ開口溝１４に挿入して同様にネジ１５止めすることによって胴縁Ｂの固定片１２との間にそれぞれ受溝２６を形成し，同様に該胴縁側係止金具２０にパネル側係止金具３０をスナップイン係止して，パネルＡ間に入隅の目地４０，本例にあっては同じく開放目地を形成してパネルＡを直交するように入隅の納まりとして取付け設置するものとしてある。
【００３０】
また出隅納まりのパネルＡは，躯体Ｃ出隅部に固定設置したブラケット１５に胴縁側係止金具２０の固定片２１を固定することによってその直交する開口溝１４にパネル側係止金具３０の固定片３１を挿入して同様にネジ２５止めすることによって胴縁Ｂの固定片１２との間にそれぞれ受溝２６を形成し，同じく該胴縁側係止金具２０にパネル側係止金具３０をスナップイン係止して，同様にパネルＡ間に出隅の目地４０，本例にあっては同じく開放目地を形成してパネルＡを直交するように出隅納まりとして取付け設置するものとしてある。
【００３１】
図４乃至図６のその余は上記例と変わらないので同一符合を付してその説明を省略する。また図１乃至図６は左右に配置したパネルＡの横断面図乃至その分解斜視図を示したものであるが，パネルＡを上下に配置した縦断面図及び分解斜視図は，該パネルＡを上下とするようにこれらの図を９０度反転して倒した状態に示されるので，これら上下配置の縦断面図の図示を同じく省略する。
【００３２】
以上のように胴縁側及びパネル側の係止金具２０，３０を用いたパネルＡの胴縁Ｂへの取付け設置は，パネルＡと胴縁Ｂに胴縁側，パネル側の各係止金具２０，３０を設置し，パネルＡを胴縁Ｂ側に押圧し，これら係止金具２０，３０をスナップイン係止することによってなされるから，パネルＡ設置の作業を簡易且つ確実になし得てその作業性を大きく向上することができるとともに移動阻止手段，遊び吸収手段の作用によってパネルＡの設置の安定性が充分に確保されて，揺動やガタツキのない確実なパネルＡ設置を行うことができる。またパネルＡの設置にスナップイン係止を用いながらも，パネルＡやこれら係止金具２０，３０を損傷することなく，正面側からの簡単な取り外し操作によってスナップイン係止を解除してパネルＡを取り外すことができ，従って，躯体ＣとパネルＡ間に配置した配線，配管等の保守点検や，例えばコンセント用の孔加工を施したパネルを非コンセント位置に誤って取付け設置した場合の如くにパネルＡ設置の誤作業の是正等のためのパネルＡ取り外しとその再設置をスムーズ且つ確実に行うことができる。また係止金具２０，３０はその構造が簡単であることによって，例えば鋼板を加工したり，アルミや硬質樹脂等を押出成型したりする，金属又は樹脂加工によって比較的容易且つ安価に量産することができるとともに精度を可級的に確保して安定した金具とすることが可能となる。
【００３３】
図示した例は以上のとおりとしたが，パネルをアルミ板，鋼板，これらの鋳物板等の金属系パネル，木質系パネル，セメント系パネル，石膏ボード系パネル等適宜材料によるものとすること，上記別部材の係止金具を使用することなく，例えば一体成型することによって胴縁側係止金具を胴縁と一体に形成してその配置を行い，パネル側係止金具をパネルと一体に形成してその配置を行うようにし，胴縁，パネルへの固定を省略し得るものすること，このとき金属系パネルをプレス加工するようにし，アルミを押出成型加工，鋳造成型加工し，樹脂を射出成型加工する等適宜の成型手段を用いるようにすること，スナップイン係止を，例えば上記胴縁側係止金具において係止用溝とし，パネル側係止金具において係止用突起としてこれら溝と突起の係止によるものとすること，このとき上記移動阻止手段の設置を省略すること，上記目地にその空間を塞ぐ着脱自在の目地材を追加的に配置し，該目地の全部又はスナップイン係止部分を開放自在とすること，透孔を長孔や長手方向の端部を開放した溝によるものとすること，移動阻止手段を用いるとき，これを上記パネル側係止金具と胴縁又は胴縁側係止金具との間に備えたものとすること，同じく移動阻止手段を設けるとき，スナップイン係止に伴ってパネル側係止金具の係止突片の先端を上記コ字状突片又は胴縁又は胴縁側係止金具に突設した突起に突き当て対接するようにすること，胴縁側係止手段を，その胴縁への一体と別体の如何を問わず長尺のものとし，またパネル側係止金具を同じく短尺のものとすること，遊び吸収手段を備えるとき，これをスプリングによる弾性部材を用いたものとすること，上記受溝を形成するとき，胴縁側係止金具を正面側に向けて開口するように，該係止金具によってこれを配置するようにすること等を含めて，本発明の実施に当って，胴縁，パネル，係止金具，目地，スナップイン係止，透孔，必要に応じて用いる移動阻止手段，遊び吸収手段等の各具体的材質，形状，構造，用途，これらの関係，これらに対する付加等は，上記発明の要旨に反しない限り様々な形態とすることができる。
【００３４】
【発明の効果】
本発明は以上のとおりに構成したから，請求項１に記載の発明は，可及的簡単な構造によってパネルの固定を簡易且つ確実になし得るようにすることによってパネル設置作業の高度な作業性を確保するとともに設置パネルの取り外しを簡易且つ確実になし得るようにすることによってメンテナンスや誤設置に対応することができ，またパネル固定のネジ等の露出が一切なく設置パネルの外観を極めて良好に確保することができるようにした着脱自在のスナップインパネル固定装置を提供することができる。
【００３５】
請求項２に記載の発明は，上記に加えて，正面からパネルを押圧することによってスナップイン係止と該係止状態の確実な保持とを行ってパネル設置の確実且つ安定した固定をなし得るものとすることができる。
【００３６】
請求項３に記載の発明は，同じく上記に加えて，胴縁側係止金具の材料使用量を抑制するとともにパネル側係止金具をパネル端部の補強をなし得るものとすることによって，構造の簡易化とパネル設置の安定性を向上するものとすることができる。
【００３７】
請求項４に記載の発明は，同じく上記に加えて，胴縁側係止金具とパネル側係止金具の生産加工の公差に起因するスナップイン係止の遊びによって生じることある設置パネルの揺動可能性を解消してパネル設置の安定性を向上することができる。
【００３８】
請求項５に記載の発明は，上記着脱自在のスナップインパネル固定装置に使用する係止金具を提供することができる。
【図面の簡単な説明】
【図１】パネルの胴縁への設置状態を示す横断面図である。
【図２】胴縁，胴縁側係止金具，パネル及びパネル側係止金具の関係を示す分解斜視図である。
【図３】パネルの取り外し可能とした状態を示す横断面図である。
【図４】見切り部分におけるパネルの胴縁への設置状態を示す横断面図である。
【図５】入隅納まりにおけるパネルの胴縁への設置状態を示す横断面図である。
【図６】出隅納まりにおけるパネルの胴縁への設置状態を示す横断面図である。
【符号の説明】
Ａ  パネル
Ｂ  胴縁
Ｃ  躯体
１０  胴縁
２０  胴縁側係止金具
２１  固定片
２２  係止突片
２３  係止用突起
２４  押圧部
２８  遊び吸収手段（弾性部材）
３０  パネル側係止金具
３１  固定片
３２  係止突片
３３  係止用突起
３４  透孔
３６  移動阻止手段（係止用突起）
４０  目地
【図１】
0003838551.tif 000002
【図２】
0003838551.tif 000003
【図３】
0003838551.tif 000004
【図４】
0003838551.tif 000005
【図５】
0003838551.tif 000006
【図６】
0003838551.tif 000007